(57)【要約】【課題】  所定の方向に配置した場合にのみ、揺動センサーの検出する揺動に連動して発光する共に、長期間に亘って発光可能な状態を持続させることが可能な発光装置を備える扇ぎ具を提供する。【解決手段】  揺動を検知することによって発光しうる発光装置を備えた扇ぎ具であって、上記発光装置は、揺動を検知しうる揺動センサーと、上記発光装置の配置方向を検知しうる配置方向検知手段とを備え、上記振動センサーによって揺動が検知されると共に、上記配置方向検知手段が所定の配置方向を検出した場合にのみ、上記発光装置を発光させる構成とする。【選択図】  図１
0003155299.tif 000002
【実用新案登録請求の範囲】
【請求項１】
揺動を検知することによって発光しうる発光装置を備えた扇ぎ具であって、
上記発光装置は、揺動を検知しうる揺動センサーと、
上記発光装置の配置方向を検知しうる配置方向検知手段とを備え、
上記振動センサーによって揺動が検知されると共に、上記配置方向検知手段が所定の配置方向を検出した場合にのみ、上記発光装置を発光させることを特徴とする扇ぎ具。
【請求項２】
上記発光装置は、合成樹脂からなる薄板片のケース部と、
上記ケース部に封入された発光回路部とから形成され、
上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、
上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することを特徴とする請求項１記載の扇ぎ具。
【請求項３】
上記発光装置は、複数の発光ダイオードを備えると共に、上記複数の発光ダイオードの発光タイミングを調整しうる発光制御部を備えることを特徴とする請求項１又は２記載の扇ぎ具。
【請求項４】
上記扇ぎ具は、柄部と扇部とから形成された団扇であって、
上記配置方向検知手段は、上記扇部を、上記柄部の上方側に配置した状態で、回路を通電可能な状態に保持するように装着されていることを特徴とする請求項１〜３いずれか１項記載の扇ぎ具。
【考案の詳細な説明】
【技術分野】
【０００１】
本考案は、揺動を検知することによって発光する発光装置を備える扇ぎ具に関する。
【背景技術】
【０００２】
手で扇ぐことによって風を発生させる扇ぎ具には、団扇、及び扇子等がある。
一般的に、団扇は手で把持するための柄部と、上記柄部の上端部から上方に向かって放射状に取り付けられた複数の骨部材と、上記骨部材に貼設されたシート部材とからなる扇部とから形成されている。
【０００３】
また、団扇は単に扇ぎ具としてのみではなく、企業宣伝、スポーツ観戦、コ
ンサートの応援用等の小道具としても活用されることが多い。
上記のように、宣伝広告、若しくは応援等の目的で団扇を使用する場合は、宣伝及び応援の効果を高める目的で、扇部の表面に図絵、写真等の装飾が施され、外観的なインパクトを高める工夫がなされている。
【０００４】
しかしながら、図絵若しくは写真等は、コンサート会場、祭り会場等、暗い場所においては視認され難く、視覚的効果が期待できなくなるという不具合を有していた。
【０００５】
上記不具合を解決するために、揺動を検知して発光する発光装置を備えた団扇が提案されている（特許文献１）。
図４は、上記特許文献１に係る団扇４０の正面図である。
図４に示すように、上記団扇４０は、柄部４１と扇部４２とからなり、上記扇部４２は、上記柄部４１の上端部から上方に向かって放射状に取り付けられた複数の樹脂製の骨部４３と、上記骨部４３に貼設された樹脂製のシ−ト部材４４とから形成されている。
上記扇部４２の周縁部から外方に突出した骨部４３の先端には、３個の発光ダイオード４５、４５、４５が上記扇部４２の周方向に沿って、互いに所定間隔離間して取り付けられている。
また、図４に示すように、上記柄部４１の上端部４１ａの内部には、電源部４６が埋設されている。
また、図５に示すように、上記電源部は、電池４７と、上記発光ダイオード４５、４５、４５を発光させるための回路が付設された回路基板４８と、揺動を検知して上記発光ダイオード４５を発光させる揺動センサー４９とから形成されている。
また、図４に示すように、上記電源部４６と上記発光ダイオード４５、４５、４５とは、上記骨部４３に沿って配置された配線部５０によって、夫々接続されている。
【０００６】
図４に示すように、上記団扇４０の柄部４１を手で把持して揺動させることにより、図５に示す上記揺動センサー４９が揺動を検知し、上記回路基板４８の回路に断続的に通電されることによって、上記発光ダイオード４５は上記揺動に連動して断続的に発光する。
従って、夜間、若しくはコンサート会場等の暗い環境下においても、離れた場所から、容易に上記発光を視認可能であり、視覚的なインパクトが大きく、宣伝効果、及び応援効果が高い。
【０００７】
しかしながら、図５に示す上記揺動センサー４９は、団扇４０の向きにかかわらず、常に揺動を検出するため、上記柄部４１を把持したまま団扇４０を下ろし、上記扇部４２を下方に向けた状態とした場合であっても、上記柄部４１を把持した手の揺動を検出して、上記発光ダイオード４５が断続的に発光し続ける。
従って、上記電池４７の消耗が早くなるという不具合を有していた。
更に、図４に示すように、上記特許文献１にかかる団扇４０は、上記電源部４６が柄部４１に埋設されると共に、上記電源部４６と発光ダイオード４５は、配線部５０を介して接続された構成であることから、例えば、既製の団扇に、後から電源４６等を取り付けることは困難であり、また、構造も複雑となることから、製作コストが高くなるという別途の不具合をも有していた。
【特許文献１】実開平５−２３９２１号
【考案の開示】
【考案が解決しようとする課題】
【０００８】
本考案の課題は、所定の方向に配置した場合にのみ、揺動センサーの検出する揺動に連動して発光する共に、長期間に亘って発光可能な状態を持続させることが可能な発光装置を備える扇ぎ具を提供することにある。
【課題を解決するための手段】
【０００９】
上記課題を解決するために、請求項１の考案に係る扇ぎ具は、揺動を検知することによって発光しうる発光装置を備えた扇ぎ具であって、上記発光装置は、揺動を検知しうる揺動センサーと、上記発光装置の配置方向を検知しうる配置方向検知手段とを備え、上記振動センサーによって揺動が検知されると共に、上記配置方向検知手段が所定の配置方向を検出した場合にのみ、上記発光装置を発光させることを特徴とする
【００１０】
従って、発光装置の配置方向を調整することによって、扇ぎ具を使用する状態の時にのみ揺動を検知して発光させると共に、扇ぎ具を使用しない状態においては揺動を検知することなく発光装置の発光を停止させることができる。
【００１１】
また、請求項２の考案に係る扇ぎ具は、上記発光装置は、合成樹脂からなる薄板片のケース部と、上記ケース部に封入された発光回路部とから形成され、上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することを特徴とする。
【００１２】
従って、上記発光装置を上記扇ぎ具とは独立した別体の部品とすることが可能であり、一般的な扇ぎ具に、後付けで取り付けることが可能となる。
また、上記扇ぎ具を雨天時の屋外で使用する場合であっても、上記ケース部に発光回路部が封入されていることから、雨がケース内部に侵入し、発光回路部が濡れることがない。
また、上記スイッチ部によって、上記発光装置の配置方向が速やかに検知され、上記発光回路部の発光有無の状態を切り替えることができる。
【００１３】
また、請求項３の考案に係る扇ぎ具は、上記発光装置は、複数の発光ダイオードを備えると共に、上記複数の発光ダイオードの発光タイミングを調整しうる発光制御部を備えることを特徴とする
従って、振動に連動しつつ、上記複数の発光ダイオードが断続的に発光する。
【００１４】
また、請求項４の考案に係る扇ぎ具は、上記扇ぎ具は、柄部と扇部とから形成された団扇であって、上記配置方向検知手段は、上記扇部を、上記柄部の上方側に配置した状態で、回路を通電可能な状態に保持するように装着されていることを特徴とする。
従って、柄部を手で把持し扇部を上方に向けた状態、揺動センサーが扇部の揺動を検知して上記発光装置を発光すると共に、上記状態以外の状態においては、揺動センサーが揺動を検知した場合であっても上記発光装置を発光しない。
【考案の効果】
【００１５】
請求項１の考案に係る扇ぎ具にあっては、揺動を検知することによって発光しうる発光装置を備えた扇ぎ具であって、上記発光装置は、揺動を検知しうる揺動センサーと、上記発光装置の配置方向を検知しうる配置方向検知手段とを備え、上記振動センサーによって揺動が検知されると共に、上記配置方向検知手段が所定の配置方向を検出した場合にのみ、上記発光装置を発光させることから、所定の方向に配置した場合にのみ、揺動センサーの検出する揺動に連動して発光する共に、長期間に亘って発光可能な状態を持続させることが可能な発光装置を備える扇ぎ具を提供することができる。
【００１６】
また、請求項２の考案に係る扇ぎ具にあっては、上記発光装置は、合成樹脂からなる薄板片のケース部と、上記ケース部に封入された発光回路部とから形成され、上記発光回路部は、電池と、上記電池から電源供給を受けることによって発光しうる発光ダイオードと、外部から加えられた揺動を検知しうる揺動検知センサーと、上記発光装置の配置方向を検知しうる配置方向検知手段とを備え、上記配置方向検知手段は、上記発光装置が所定の方向に配置された場合には、回路を通電可能な状態に保持すると共に、上記発光装置が所定方向以外に配置された場合には回路を遮断状態に保持しうるスイッチ部を有することから、請求項１の効果に加え、上記発光装置が、扇ぎ具とは独立した別体の部品として供給されるため、一般的な扇ぎ具に後付けで取り付けることが可能となり、製造コストをより低減することが可能である。
また、上記ケース部によって雨等から内部の発光回路部が保護されるため、上記発光装置の耐久性がより向上する。
【００１７】
また、請求項３にかかる扇ぎ具は、上記発光装置は、複数の発光ダイオードを備えると共に、上記複数の発光ダイオードの発光タイミングを調整しうる発光制御部を備えることから、請求項２の効果に加え、上記発光装置の発光パターンがより複雑となり、視覚的インパクトが高くなる。
【００１８】
また、請求項４に係る扇ぎ具は、上記扇ぎ具は、柄部と扇部とから形成された団扇であって、上記配置方向検知手段は、上記扇部を、上記柄部の上方側に配置した状態で、回路を通電可能な状態に保持するように装着されていることから、団扇の扇部を下方に向けて降ろしておくことによって、上記発光装置の発光の有無を容易に制御することが可能でありため、請求項１乃至３の効果に加え、応援等の目的で団扇を使用した場合には、より視覚的インパクトのある効果的な応援が可能となる。
【図面の簡単な説明】
【００１９】
【図１】本考案の一実施の形態を示し、実施例の形態における団扇の正面図である。
【図２】本考案の一実施の形態を示し、実施例の形態の団扇に取り付けられた発光装置の（ａ）は正面図、（ｂ）は側面図、（ｃ）は背面図である。
【図３】本考案の一実施の形態を示し、実施例の形態の団扇に取り付けられた発光装置の回路配置を示し、（ａ）は配置方向検知手段のスイッチ部がオンの状態、（ｂ）配置方向検知手段のスイッチ部がオフの状態を示す概略図である。
【図４】発光装置を搭載した従来の団扇の正面図である。
【図５】従来の団扇における、発光装置の電源部の回路構成を示す概略図である。
【考案を実施するための最良の形態】
【００２０】
以下添付図面を用いて本製品の実施の形態を、扇ぎ具が団扇である場合を例として説明する。
図１に示すように、本実施例に係る団扇１０は、柄部２０と扇部２１とからなり、揺動を検知することによって発光しうる発光装置１１を備え、図２に示すように上記発光装置１１は、揺動を検知しうる揺動センサー１２と、上記発光装置１１の配置方向を検知しうる配置方向検知手段１３とを備えている。
また、上記発光装置１１は、図２（ｂ）に示すように、合成樹脂からなる薄板片のケース部１４と、上記ケース部１４に封入された発光回路部１５とから形成され、上記発光回路部１５は、図２（ａ）に示すように、電池１６と、同図（ｃ）に示すように、上記電池１６から電源供給を受けることによって発光しうる３つの発光ダイオード１７、１７、１７と、外部から加えられた揺動を検知しうる揺動検知センサー１２と、上記発光装置１１の配置方向を検知しうる配置方向検知手段１３とを備え、図３に示すように、上記配置方向検知手段１３は、上記発光装置１１が所定の方向に配置された場合には、回路を通電可能な状態に保持すると共に、上記発光装置が所定方向以外に配置された場合には回路を遮断状態に保持しうるスイッチ部１８を備えている。
また、上記発光装置１１は、上記発光ダイオード１７、１７、１７の発光を制御する発光制御部１９を備えている。
また、上記発光装置１１は、上記配置方向検知手段１３が、上記扇部２１を上記柄部２０の上方側に配置した状態で、回路を通電可能な状態に保持するように配置されている。
【実施例１】
【００２１】
以下に、本実施例の構成について添付図面を用いて詳述する。
図１は本実施例に係る団扇１０に発光装置１１を取り付けた状態を示す正面図である。
図１に示すように、本実施例に係る団扇１０は、柄部２０と扇部２１とからなり、上記扇部２１は、上記柄部２０の上端部２２から放射状に配置された複数の骨部材２３と上記骨部材２３に貼設されたシート部材２４とから形成されている。
また、図２（ａ）は上記発光装置１１の正面図、（ｂ）は側面図、（ｃ）は背面図を夫々示している。
図２に示すように、上記発光装置１１のケース部１４は半透明の合成樹脂からなり、薄型の長方形板片に形成されている。
また、上記発光回路部１５は、上記ケース部１４と略同一の幅寸法及び長さ寸法に形成された基板２５と、上記基板２５上に配置された揺動センサー１２と、配置方向検知手段１３と、発光制御部１９と、３つの発光ダイオード１７、１７、１７と、上記基板２５の近傍に配置された釦電池である電池１６とから形成されている。
上記発光回路部１５は上記ケース部１４の内部に封入されている。
なお、上記発光回路部１５における、上記揺動センサー１２、配置方向検知手段１３、発光ダイオード１７、１７、１７の配置位置については、各部品の機能に影響を与えない範囲で、自由に配置変更が可能であり、配置を変更した場合であっても、本実施例の作用には影響しない。
また、図３は、上記発光回路部１５の構成例を示す概略図である。
図３（ａ）に示すように、上記揺動センサー１２は、有底円筒形の固定接点部１２ａと、上記固定接点部１２ａの内部に挿入されたコイルバネからなる可動接点部１２ｂとから形成されている。
上記発光装置１１を揺動させた場合、上記揺動に連動して、上記可動接点部１２ｂが矢印Ａの方向に揺動し、上記固定接点部１２ａに対し、当接と離間を繰り返す。
また、上記配置方向検知手段１３のスイッチ部１８は、接続線路２６の一部が遮断された遮断部１８ａと、図３（ａ）に示すように、上記発光装置１１が所定の方向に配置された場合にのみ、上記遮断部１８ａの両端を接続し、同図（ｂ）に示すように、上記所定方向以外に配置された場合には、上記遮断部１８ａの両端から離間して配置されるスイッチ片部１８ｂとから形成されている。
【００２２】
以下、本実施例の作用について添付図面を用いて説明する。
図２（ａ）に示すように上記発光装置１１のケース部１４の表面には、上記発光装置１１が発光しうる配置方向を示す案内矢印２７が印字されている。
すなわち、上記案内矢印２７の先端を上方に向けて上記発光装置１１を配置した場合、図３（ａ）に示すように上記配置方向検出手段１３のスイッチ部１８において、スイッチ片部１８ｂが接続線路２６の遮断部１８ａを接続するように配置される。
従って、上記の場合、上記揺動センサー１２において、可動接点部１２ａと固定接点部１２ｂとが当接することによって、発光ダイオード１７、１７、１７に通電され、上記発光ダイオード１７、１７、１７が発光する。
この際、上記発光制御部１９によって、上記発光ダイオード１７、１７、１７の発光タイミングに所定の遅延を生じさせる等によって、発光パターンが複雑になり、視覚的インパクトがより大きくすることができる。
また、図２に示す、上記案内矢印２７の先端を下方に向けて上記発光装置１１を配置した場合は、図３（ｂ）に示すように、上記配置方向検出手段１３のスイッチ部１８において、スイッチ片部１８ｂが接続線路２６の遮断部１８ａと離間して配置される。
従って、上記の場合は、可動接点部１２ａと固定接点部１２ｂとが当接した場合であっても、上記遮断部１８ａによって回路が遮断されているため、上記発光ダイオード１７、１７、１７が発光することはない。
【００２３】
図１に示すように、本実施例にかかる団扇１０においては、上記発光装置１１は、柄部２０を把持して扇部２１を上記柄部２０の上方に配置されるようにした場合に、上記案内矢印２７が上向きとなるように装着されている。
従って、柄部２０を把持して上記扇部２１を上方に持ち上げ、手を揺動させることによって、上記発光装置１１が発光する。
従って、コンサートやスポーツ観戦の応援時に、多人数が同時に上記団扇１０を持ち上げ、手を揺動させることで、上記発光装置１１が一斉に発光し、非常に視覚的なインパクトが大きな応援を行うことができる。
また、団扇１０を下ろして、上記扇部２１を上記柄部２０の下方となるようにすることによって、上記発光装置１１を発光させないようにすることが可能である。
従って、不要な発光を防止し、電池１６の消耗も極力小さくすることができるため、非常に経済的である。
また、発光装置１１は、粘着剤、若しくは両面テープ等を用いて、既製の団扇に簡単に装着することができるため、別途専用の団扇を製造する必要もなく、製造コストを低減することができる。
【００２４】
なお、本実施例に係る発光装置の形状については、特に長方形に限定する必要は無く、装着対象物によって自由に変更することが可能である。
また、発光ダイオードの数、及び色彩等についても、使用用途によって適宜変更が可能であり、その場合であっても、本実施例と同様の作用効果を得ることが可能である。
また、団扇に取り付ける発光装置の数についても何ら制約は無く、自由に変更が可能である。
【産業上の利用可能性】
【００２５】
本考案は、揺動を検知することによって発光する発光装置を備える団扇に適用可能である。
【符号の説明】
【００２６】
１０  団扇
１１  発光装置
１２  揺動センサー
１２ａ固定接点部
１２ｂ可動接点部
１３  配置方向検知手段
１４  ケース部
１５  発光回路部
１６  電池
１７  発光ダイオード
１８  スイッチ部
１８ａ遮断部
１８ｂスイッチ片部
１９  発光制御部
２０  柄部
２１  扇部
２２  柄部の上端部
２３  骨部材
２４  シート部材
２５  基板
２６  接続線路
２７  案内矢印
４０  団扇
４１  柄部
４１ａ柄部の上端部
４２  扇部
４３  骨部
４４  シート部材
４５  発光ダイオード
４６  電源部
４７  電池
４８  回路基板
４９  揺動センサー
５０  配線部
【図１】
0003155299.tif 000003
【図２】
0003155299.tif 000004
【図３】
0003155299.tif 000005
【図４】
0003155299.tif 000006
【図５】
0003155299.tif 000007